【手続補正書】
【提出日】平成18年3月13日(2006.3.13)
【手続補正１】
【補正対象書類名】明細書
【補正対象項目名】特許請求の範囲
【補正方法】変更
【補正の内容】
【特許請求の範囲】
【請求項１】  インクを吐出するための記録ヘッドを被記録媒体に対して走査させながら前記記録ヘッドからインクを吐出して記録を行うインクジェット記録装置において、
前回の記録動作終了からの経過時間を計測する計測手段と、
前記計測された時間に基づいて、前記インク吐出を伴わない走査を行うことを特徴とするインクジェット記録装置。
【請求項２】  前記計測手段により計測された時間が予め定められた所定の時間を超えるか否かについての判定を行う判定手段を更に備え、
前記判定手段による判定の際に用いられる前記所定の時間として、複数の異なる所定の時間が設けられており、
前記判定手段は、前記複数の異なる所定の時間に従って、複数の段階で前記判定を行うことを特徴とする請求項１に記載のインクジェット記録装置。
【請求項３】  前記計測手段により計測される時間の長さに応じて前記インク吐出を伴わない走査の回数を異ならせることを特徴とする請求項１または２に記載のインクジェット記録装置。
【請求項４】  前記計測手段により計測される時間の長さが前記所定の時間より長い場合、前記所定の時間よりも短い場合に比べて、前記インク吐出を伴わない走査の回数を多くすることを特徴とする請求項３に記載のインクジェット記録装置。
【請求項５】  前記インクは、顔料インクであることを特徴とする請求項１ないし４のいずれかに記載のインクジェット記録装置。
【請求項６】  前記記録ヘッドに供給するためのインクを収納するインクタンクと前記記録ヘッドとがチューブを介して結合されることを特徴とする請求項１ないし５のいずれかに記載のインクジェット記録装置。
【請求項７】  前記インクタンクは、当該インクタンク中のインクを攪拌する攪拌手段を更に備えることを特徴とする請求項６に記載のインクジェット記録装置。
【請求項８】  前記記録ヘッドからのインク吐出を伴う走査の速度よりも速いスピードで前記インク吐出を伴わない走査を行うことを特徴とする請求項１ないし７のいずれかに記載のインクジェット記録装置。
【請求項９】  インクを吐出するための記録ヘッドを被記録媒体に対して走査させながら前記記録ヘッドからインクを吐出して記録を行うインクジェット記録装置において、
前回の記録動作終了後から今回の記録動作開始までの時間に対応した情報を取得する取得手段と、
前記取得手段により取得された情報に応じて、前記今回の記録動作における前記記録ヘッドからのインク吐出を伴う走査を行う前に前記インク吐出を伴わない走査を行うか否かを決定する決定手段と、
を備えたことを特徴とするインクジェット記録装置。
【請求項１０】  インクを吐出するための記録ヘッドを被記録媒体に対して走査させながら前記記録ヘッドからインクを吐出して記録を行うインクジェット記録装置において、
前回の記録動作終了から経過時間に対応した情報を取得する取得手段と、
前記取得手段により取得された情報に応じて、前記インク吐出を伴わない走査の実行回数を決定する決定手段と、
を備えたことを特徴とするインクジェット記録装置。
【請求項１１】  インクを吐出するための記録ヘッドを被記録媒体に対して走査させながら前記記録ヘッドからインクを吐出して記録を行うインクジェット記録方法において、
前回の記録動作終了からの経過時間を計測する計測工程と、
前記計測工程において計測された時間が所定の時間を超えるか否かについての判定を行う判定工程とを有し、
前記走査工程では、前記判定工程の判定結果に応じて、前記記録ヘッドからのインク吐出を伴う走査を行う前に前記インク吐出を伴わない走査を行うことを特徴とするインクジェット記録方法。
【請求項１２】  インクを吐出するための記録ヘッドを被記録媒体に対して走査させながら前記記録ヘッドからインクを吐出して記録を行うインクジェット記録方法において、
前回の記録動作終了後から今回の記録動作開始までの時間に対応した情報を取得する取得工程と、
前記取得工程において取得した情報に応じて、前記今回の記録動作における前記記録ヘッドからのインク吐出を伴う走査を行う前に前記インク吐出を伴わない走査を行うか否かを決定する決定工程と、
を有することを特徴とするインクジェット記録方法。
【請求項１３】  インクを吐出するための記録ヘッドを被記録媒体に対して走査させながら前記記録ヘッドからインクを吐出して記録を行うインクジェット記録方法において、
前回の記録動作終了からの経過時間に対応した情報を取得する取得工程と、
前記取得工程において取得された情報に応じて、前記インク吐出を伴わない走査の実行回数を決定する決定工程と、
を有することを特徴とするインクジェット記録方法。
【手続補正２】
【補正対象書類名】明細書
【補正対象項目名】００１６
【補正方法】変更
【補正の内容】
【００１６】
【課題を解決するための手段】
前記目的を達成するために、本発明のインクジェット記録装置は、インクを吐出するための記録ヘッドを被記録媒体に対して走査させながら前記記録ヘッドからインクを吐出して記録を行うインクジェット記録装置において、前回の記録動作終了からの経過時間を計測する計測手段と、前記計測された時間に基づいて、前記インク吐出を伴わない走査を行うことを特徴とする。
【手続補正３】
【補正対象書類名】明細書
【補正対象項目名】００１７
【補正方法】変更
【補正の内容】
【００１７】
また、前記計測手段により計測された時間が予め定められた所定の時間を超えるか否かについての判定を行う判定手段を更に備え、前記判定手段による判定の際に用いられる前記所定の時間として、複数の異なる所定の時間が設けられており、前記判定手段は、前記複数の異なる所定の時間に従って、複数の段階で前記判定を行うことが好ましい。
【手続補正４】
【補正対象書類名】明細書
【補正対象項目名】００１８
【補正方法】変更
【補正の内容】
【００１８】
さらに、前記計測手段により計測される時間の長さに応じて前記インク吐出を伴わない走査の回数を異ならせることが好ましい。ここで、前記計測手段により計測される時間の長さに応じて前記インク吐出を伴わない走査の回数を異ならせることが好ましい。また、前記記録ヘッドからのインク吐出を伴う走査の速度よりも速いスピードで前記インク吐出を伴わない走査を行うことが好ましい。
【手続補正５】
【補正対象書類名】明細書
【補正対象項目名】００２０
【補正方法】変更
【補正の内容】
【００２０】
さらにまた、前記記録ヘッドに供給するためのインクを収納するインクタンクと前記記録ヘッドとがチューブを介して結合されることを特徴とする。
【手続補正６】
【補正対象書類名】明細書
【補正対象項目名】００２１
【補正方法】変更
【補正の内容】
【００２１】
さらにまた、前記インクタンクは、当該インクタンク中のインクを攪拌する攪拌手段を更に備えることを特徴とする。
【手続補正７】
【補正対象書類名】明細書
【補正対象項目名】００２２
【補正方法】変更
【補正の内容】
【００２２】
また、本発明は、インクを吐出するための記録ヘッドを被記録媒体に対して走査させながら前記記録ヘッドからインクを吐出して記録を行うインクジェット記録装置において、前回の記録動作終了後から今回の記録動作開始までの時間に対応した情報を取得する取得手段と、前記取得手段により取得された情報に応じて、前記今回の記録動作における前記記録ヘッドからのインク吐出を伴う走査を行う前に前記インク吐出を伴わない走査を行うか否かを決定する決定手段とを備えたことを特徴とする。
【手続補正８】
【補正対象書類名】明細書
【補正対象項目名】００２３
【補正方法】変更
【補正の内容】
【００２３】
また、本発明は、インクを吐出するための記録ヘッドを被記録媒体に対して走査させながら前記記録ヘッドからインクを吐出して記録を行うインクジェット記録装置において、前回の記録動作終了から経過時間に対応した情報を取得する取得手段と、前記取得手段により取得された情報に応じて、前記インク吐出を伴わない走査の実行回数を決定する決定手段とを備えたことを特徴とする。
【手続補正９】
【補正対象書類名】明細書
【補正対象項目名】００２４
【補正方法】変更
【補正の内容】
【００２４】
本発明のインクジェット記録方法は、インクを吐出するための記録ヘッドを被記録媒体に対して走査させながら前記記録ヘッドからインクを吐出して記録を行うインクジェット記録方法において、前回の記録動作終了からの経過時間を計測する計測工程と、前記計測工程において計測された時間が所定の時間を超えるか否かについての判定を行う判定工程とを有し、前記走査工程では、前記判定工程の判定結果に応じて、前記記録ヘッドからのインク吐出を伴う走査を行う前に前記インク吐出を伴わない走査を行うことを特徴とする。
【手続補正１０】
【補正対象書類名】明細書
【補正対象項目名】００２５
【補正方法】変更
【補正の内容】
【００２５】
また、本発明は、インクを吐出するための記録ヘッドを被記録媒体に対して走査させながら前記記録ヘッドからインクを吐出して記録を行うインクジェット記録方法において、前回の記録動作終了後から今回の記録動作開始までの時間に対応した情報を取得する取得工程と、前記取得工程において取得した情報に応じて、前記今回の記録動作における前記記録ヘッドからのインク吐出を伴う走査を行う前に前記インク吐出を伴わない走査を行うか否かを決定する決定工程とを有することを特徴とする。
【手続補正１１】
【補正対象書類名】明細書
【補正対象項目名】００２６
【補正方法】変更
【補正の内容】
【００２６】
また、本発明は、インクを吐出するための記録ヘッドを被記録媒体に対して走査させながら前記記録ヘッドからインクを吐出して記録を行うインクジェット記録方法において、前回の記録動作終了からの経過時間に対応した情報を取得する取得工程と、前記取得工程において取得された情報に応じて、前記インク吐出を伴わない走査の実行回数を決定する決定工程とを有することを特徴とする。